(57)【要約】【課題】開閉可能な天板を開放位置から閉塞位置に戻すときの移動と、収納部に天板を収納するときの移動をゆっくり行えるようにすること。【解決手段】家具本体１３の上部に天板１５が開閉可能に設けられているとともに、家具本体１３の後部に設けられた収納部１４に天板１５が収納可能に設けられている。天板１５と家具本体１３との間には、一方向クラッチ機能を備えたダンパ４２と、アーム４４とを含む移動抵抗付与手段４０が設けられている。この移動抵抗付与手段４０は、天板を開放位置に移動させるとき及び収納部１４から天板１５を引き出すときにスムースな移動を許容する一方、天板１５を閉塞位置に移動させるとき及び収納部１４に収納するときに移動抵抗を付与してゆっくり動作させるようになっている。【選択図】　　　　　図２
2004105249.tif 000002
【特許請求の範囲】
【請求項１】
家具本体の上部に天板が配置されるとともに、当該天板が閉塞位置と開放位置との間で回転可能に設けられ、且つ、開放された天板がガイド機構を介して所定の収納部に収納可能に設けられた天板付き家具において、
前記天板と家具本体との間に前記天板の移動抵抗付与手段が設けられ、当該移動抵抗付与手段は、天板を開放位置から閉塞位置に移動させるときの速度と、天板の収納時の速度とを遅延させる抵抗を付与することを特徴とする開閉天板付き家具。
【請求項２】
前記移動抵抗付与手段は、前記家具本体と前記天板との間に位置するアームを含み、このアームの角度変位によって前記抵抗が付与されることを特徴とする請求項１記載の開閉天板付き家具。
【請求項３】
前記移動抵抗付与手段は、天板側に設けられたロータリーダンパと、一端部がロータリーダンパに連結されて他端部が家具本体側に移動可能に支持されたアームとからなり、前記アームの角度変位により前記抵抗が付与されることを特徴とする請求項１記載の開閉天板付き家具。
【請求項４】
前記ロータリーダンパは一方向クラッチ機能を備えていることを特徴とする請求項３記載の開閉天板付き家具。
【請求項５】
前記アームの前記他端部にローラが設けられる一方、前記家具本体側に前記ローラを受容して当該ローラの移動を許容するレールが設けられていることを特徴とする請求項２，３又は４記載の開閉天板付き家具。
【請求項６】
前記移動抵抗付与手段は、前記家具本体と前記天板との間に設けられたシリンダ装置を含み、このシリンダ装置のロッドの伸長によって前記抵抗が付与されることを特徴とする請求項１記載の開閉天板付き家具。
【請求項７】
前記移動抵抗付与手段は、天板の左右両側に対称配置されていることを特徴とする請求項１ないし６の何れかに記載の天板付き家具。
【発明の詳細な説明】
【０００１】
【発明の属する技術分野】
本発明は天板付き家具に係り、更に詳しくは、天板を開閉可能に設けるとともに、開放された天板を所定の収納部に収納することのできる天板付き家具に関する。
【０００２】
【従来の技術】
従来より、天板を開閉可能とした机等の天板付き家具が知られている。例えば、特許第２６５５０２７号公報には、作業台の上部に位置する天板を蓋として開閉可能に設けた机が記載されている。同公報に開示された机は、支持脚の上部に作業台が設けられているとともに、当該作業台の上部に開閉可能な天板を備えて構成されている。天板は、後端側を回転中心とするように支持されて前端が自由端として回転可能に設けられ、当該天板を略起立姿勢となる位置まで開いた状態で天板が支持脚の後部に設けられた収納部に対して出し入れ可能となっている。また、天板は、その回転軸回りに天板の回転抵抗を付与するガススプリングを備えており、当該ガススプリングの作用によって天板の開閉動作に一定の抵抗が付与されるように構成されている。更に、前記収納部の上部にはコイルばねが配置され、当該コイルばねの一端を天板を収納部内で昇降させるためのスライダに固定することで、収納部に対する天板の出し入れ作業を軽く行える構成が採用されている。
【０００３】
【発明が解決しようとする課題】
しかしながら、このような天板の開閉と収納機能を備えた机の場合、収納部内で天板を出し入れする作業は、コイルばねのばね力と、天板の重さとの釣り合いによって確保されるものであり、天板の回転抵抗を付与する前記ダンパーとは別個の機構が収納部内に必要となり、部品点数が多くなって組み立て作業を繁雑にする他、コスト上昇をも招くという不都合もある。
【０００４】
【発明の目的】
本発明は、このような不都合に着目して案出されたものであり、その目的は、天板を閉塞位置から開放位置に移動させるときの動作をスムースに行える一方、閉塞位置に戻す動作を制御することで、天板が勢いよく閉塞位置及び収納位置に戻ってしまうことがなく、天板収納時における操作性を向上させることのできる開閉天板付き家具を提供することにある。
【０００５】
また、本発明の他の目的は、天板の回転制御と、収納部に対して天板を出し入れするときの移動制御とを共通する機構を用いて行うことのできる開閉天板付き家具を提供することにある。
【０００６】
本発明の更に他の目的は、少ない部品点数で前述した制御を行うことができる開閉天板付き家具を提供することにある。
【０００７】
【課題を解決するための手段】
前記目的を達成するため、本発明は、家具本体の上部に天板が配置されるとともに、当該天板が閉塞位置と開放位置との間で回転可能に設けられ、且つ、開放された天板がガイド機構を介して所定の収納部に収納可能に設けられた天板付き家具において、
前記天板と家具本体との間に前記天板の移動抵抗付与手段が設けられ、当該移動抵抗付与手段は、天板を開放位置から閉塞位置に移動させるときの速度と、天板の収納時の速度とを遅延させる抵抗を付与する、という構成を採っている。このような構成によれば、天板を閉塞位置から開放位置に移動させるときは、前記移動抵抗付与手段による抵抗が付与されずにスムースな動作を伴って行うことができる。この一方、天板を閉塞位置に戻すときは、一定の抵抗が付与されるようになり、天板の自由端が勢いよく閉塞位置に戻ることがなくなり、指挟み等の危険性を未然に防止することが期待できる。しかも、衝撃音や机上で使用する機器への振動も軽減若しくは排除することができる。また、天板を収納部に収納するときも同様にゆっくりした移動となる一方で、天板を引き出す際の引き出しをスムースに行うことが可能となる。
【０００８】
【発明の実施の形態】
本発明において、前記移動抵抗付与手段は、前記家具本体と前記天板との間に位置するアームを含み、このアームの角度変位によって前記抵抗が付与される、という構成を採っている。このような構成により、天板の回転制御と収納部に対する出し入れ制御をアームによって行うことができ、制御機構の簡略化を図ることが可能となる。
【０００９】
また、前記移動抵抗付与手段は、天板側に設けられたロータリーダンパと、一端部がロータリーダンパに連結されて他端部が家具本体側に移動可能に支持されたアームとからなり、前記天板とアームとの相対角度変位により前記抵抗が付与される、という構成を採ることが好ましい。これにより、容易に入手可能な部品を用いて天板の移動抵抗を必要な方向についてのみ作用させることが可能となる。
【００１０】
また、前記ロータリーダンパは一方向クラッチ機能を備えて構成することができ、これによって、前述した天板とアームとの相対角度変位に際して、天板を開放位置から閉塞位置に戻すときや、天板を収納部に収納するときに一定の抵抗を付与することができ、少ない部品点数で操作性の向上を図ることができる。
【００１１】
更に、前記アームの前記他端部にローラが設けられる一方、前記家具本体側に前記ローラを受容して当該ローラの移動を許容するレールが設けられる、という構成を用いることができる。このような構成では、前述した遅延した移動を実現しつつも、当該動作を必要としない方向に天板を移動させるときの作業を滑らかな操作感をもって行うことが可能となる。
【００１２】
また、本発明における前記移動抵抗付与手段は、前記家具本体と前記天板との間に設けられたシリンダ装置を含み、このシリンダ装置のロッドの伸長によって前記抵抗が付与される、という構成も採用することができ、当該構成を通じて更なる構造の簡易化を達成することが可能となる。
【００１３】
また、前記移動抵抗付与手段は、天板の左右両側に対称配置することができる。これによって、全体としてのバランスを良好に維持して天板の開閉動作と出し入れ動作を行うことができる。
【００１４】
【実施例】
以下、本発明の実施例を図面を参照しながら説明する。
【００１５】
［第１実施例］
図１には、本発明がＯＡ作業用の机に適用された第１実施例に係る概略斜視図が示されている。また、図２には天板を開放した状態の概略斜視図が示され、図３には天板を収納した状態の概略斜視図が示されている。これらの図において、机１０は、左右一対の側板１１，１１及びこれら側板１１，１１の上部間に設けられた作業台１２を備えた家具本体１３と、この家具本体１３の後部に設けられた収納部１４と、前記家具本体１３の上部に開閉可能に設けられるとともに、前記収納部１４に収納可能な天板１５とを備えて構成されている。
【００１６】
前記収納部１４は側板１１，１１の後端部間に配置されたバックパネル２０と、このバックパネル２０の手前側において、当該バックパネル２０との間に所定の収納空間Ｓを形成するように側板１１，１１間に配置されたフロントパネル２１とにより形成されている。収納部１４の上部は開放した形状に設けられ、当該開放部２２が天板１５の出し入れ口として作用するようになっている。また、バックパネル２０の上端は、前向きに突出する水平部２０Ａとされ、当該水平部２０Ａによって開放部２２を必要最小限の隙間とするように構成されている。
【００１７】
図４ないし図６に示されるように、前記バックパネル２０の前面側における左右二箇所位置には、アウターレール２５，２５が上下方向に沿って配置されている。このアウターレール２５は、横断面形状が略コ字状をなす外形を備えており、その内側にリテーナ２６を配置して当該リテーナ２６との間にボール２７を内包した構成とされている。このアウターレール２５内には、天板１５側にマウントプレート２９を介して取り付けられたインナーレール３０が上下方向に沿って移動可能に組み合わされている。ここにおいて、前記アウターレール２６，リテーナ２６，ボール２７、マウントプレート２９及びインナーレール３０によりガイド機構３１が構成されている。
【００１８】
前記天板１５は、作業台１２の上面との隙間寸法に応じた高さを有する前板３２を前端部に備え、側端面形状が略Ｌ字状をなすように設けられている。この天板１５の後端部には、面位置が上下方向に向けられたスライド板３４が蝶番３５を介して連結されている。スライド板３４には、その後面側に前記インナーレール３０のマウントプレート２９が固定され、これにより、天板１５を起立させる方向に回転して略起立姿勢とした状態で当該天板１５とスライド板３４とがガイド機構３１を介して上下方向に移動可能となっている。
【００１９】
前記天板１５と、家具本体１３を構成する側板１１との間には、天板１５の移動抵抗付与手段４０が左右両側に対称配置されている。この移動抵抗付与手段４０は、天板１５の左右両側の下面側にブラケット４１を介して固定されたロータリーダンパからなるダンパ４２と、当該ダンパ４２の回転軸４３に一端部が連結されたアーム４４と、このアーム４４の先端部に位置するとともに略鉛直面内で回転可能に支持されたローラ４５と、このローラ４５を受容する案内レール４６とにより構成されている。
【００２０】
前記ダンパ４２は、天板１５とアーム４４との相対角度変位によって一定の回転抵抗を付与するようになっている。具体的には、本実施例では、天板１５を閉塞位置から開放位置に移動させるとき、及び、収納部１４内に収納された天板１５を収納部１４から引き出すときの天板１５とアーム４４との相対角度変位に際して抵抗が付与されない一方、天板１５を開放位置から閉塞位置に移動させるとき、及び、収納部１４に天板１５を収納するときの天板１５とアーム４４との相対角度変位に際して抵抗を付与するようになっている。すなわち、ダンパ４２は、一方向クラッチ機能を備えて構成されている。
【００２１】
前記案内レール４６は、図４及び図６に示されるように、側板１１の内面側に設けられた凹溝１１Ａ内に受容されている。この案内レール４６は、側板１１の前後方向に沿って延びる水平部４６Ａと、この水平部４６Ａの後端に連なる傾斜部４６Ｂとからなり、この案内レール４６に前記ローラ４５を受容することで、天板１５を移動させたときの当該天板とアーム４４との相対角度変位が一定の軌跡に沿って行われるようになっている。
【００２２】
次に、前記実施例における作用について図７及び図８をも参照しながら説明する。
【００２３】
天板１５が閉塞位置にある状態で、当該天板１５とアーム４４とが略平行となる初期相対位置となる。ここで、図７（Ａ），（Ｂ）に示されるように、天板１５の自由端側すなわち前板３２側を持ち上げると、ダンパ４２の回転軸４３が回転し、これに一端が連結されているアーム４４は、ローラ４５が天板１５から離れる方向（図７中ローラ４５側が時計回りに移動する方向）に相対角度変位することとなる。本実施例におけるダンパ４２は、当該ダンパ４２位置を中心としてアーム４４が図中反時計方向に角度変位するとき、すなわち、ローラ４５側が天板１５から離れる方向に角度変位するときに抵抗を付与しないようになっている。従って、天板１５を閉塞位置から開放位置に移動させるときの速度抵抗は生じない。
【００２４】
この一方、天板１５を開放位置から閉塞位置に戻す場合には、前記アーム４４が反対側（反時計回り）に回転するようになり、この反対側への回転時に、ダンパ４２は、その回転軸４３に対して回転抵抗を付与し、これに連結されているアーム４４が天板１５に対して平行になろうとする回転動作に対して抵抗を付与することとなる。従って、閉塞方向への天板１５の移動は開放時に対して遅延した速度で行われることとなり、これによって、前板３２が作業台１２の前端側の上面に勢いよくぶつかる虞を回避することとなる。
【００２５】
天板１５は、略起立姿勢とした状態、すなわち、図７（Ｂ）に示される状態で、収納部１４内に収納することができる。この状態では、天板１５は、その自重により、前記ガイド機構３１を介して下降することとなる。この際、アーム４４は、最大角度まで回転した位置（図７（Ｂ）参照）から、次第に角度を小さくする方向に回転することとなる（図８参照）。従って、ダンパ４２による回転抵抗がアーム４４に付与される結果、当該アーム４４の先端に設けられているローラ４５は案内レール４６内でゆっくりした回転を伴って傾斜部４６Ｂの後端に移動するようになる。従って、天板１５は、その自重による急速な下降移動が抑制され、下降限に達するときの衝撃を生ずることなく収納部１４内に収納される。
【００２６】
収納部１４から天板１５を引き出すときは、前述したように、天板１５を閉塞位置から開放位置に移動させるときと同様にアーム４４への回転抵抗はダンパ４２によって付与されないため、天板１５の重さに相当する力によって天板１５を収納部１４より引き出すことができる。
【００２７】
従って、このような第１実施例によれば、天板１５の開放と、収納部１４からの引き出しをスムースに行える一方、天板１５の閉塞と収納部１４への収納をゆっくりした速度で行うことができるので、非常に使い勝手のよい開閉天板付きの家具を提供することが可能となる。
【００２８】
次に、本発明の前記以外の実施例について説明する。なお、以下の各実施例において、前記第１実施例と同一若しくは同等の構成部分については必要に応じて同一符号を用いるものとし、説明を省略若しくは簡略にする。
【００２９】
［第２実施例］
図９ないし図１２には、本発明の第２実施例が示されている。この実施例は、移動抵抗付与手段が、家具本体１３と天板１５とを相互に連結する連結アーム５０と、この連結アーム５０と天板１５との間に設けられたアーム５２及びダンパ５３とを備えて構成され、アーム５２の回転に伴う角度変位によって天板１５に対する移動抵抗を付与するようにしたものである。これを更に詳述すると、連結アーム５０の一端部は天板１５の後部裏面側にヒンジ連結されている一方、他端部にはローラ４５が設けられ、当該ローラ４５が案内レール４６に沿って移動可能に設けられている。また、アーム５２の一端部は、連結アーム５２の中間に固定された一方向クラッチ機構を備えたダンパ５３に回転可能に連結されている一方、他端部は、天板１５の裏面側にヒンジ連結されている。ここで、アーム５２は、ダンパ５３の連結側となる第１のアーム５２Ａと、この第１のアーム５２Ａと天板１５との間に位置する第２のアーム５２Ｂとからなり、これら各アーム５２Ａ，５２Ｂは関節部５２Ｃを介して屈曲可能に連結されている。なお、第２実施例においては、収納部１４を構成するフロントパネル２１が、前記アーム５２等と干渉を生ずることがないように、図中点線で示す領域が切り欠いて形成されている。
【００３０】
前記アーム５２は、第１のアーム５２Ａがダンパ５３位置を中心として図中反時計方向に回転して角度変位するときに抵抗が付与されない一方、時計方向に回転して角度変位するときには抵抗が付与されるようになっている。従って、図１０及び図１１に示されるように、天板１５を開放させる場合には天板１５の回転がスムースに許容される一方、天板１５を開放位置から閉塞位置に戻す場合にはゆっくりした動作となる。また、天板１５を完全に開放した位置（図１１参照）から収納部１４に収納する場合には、第１のアーム５２Ａが時計方向に回転するため、当該回転に移動抵抗が付与されてゆっくりした速度で収納される一方、収納された位置から上方に引き上げるときには、第１のアーム５２Ａが反時計方向に回転することで抵抗が与えられることなくスムースに引き上げできることとなる。
【００３１】
従って、このような実施例によっても、前記第１実施例と同様の効果を得ることができる。
【００３２】
［第３実施例］
図１３ないし図１６には、本発明の第３実施例が示されている。この実施例は、第２実施例の変形的態様であり、ダンパ５３を側板１１の内面側に回転可能に支持することによって第２実施例における連結アーム５０と案内レール４６等を不要としたところに特徴を有する。なお、この実施例においても、アーム５２等と位置的な干渉を生ずることがないように、図中点線で示される領域、すなわち、作業台１２の後部と、フロントパネル２１の側端部が切り欠いて形成されている。
【００３３】
従って、このような第３実施例によっても第２の実施例と同様の作用、効果を得ることができる他、移動抵抗付与手段の部品点数を削減できるとともに、製造工数も削減できるという別途の効果を付加することができる。
【００３４】
［第４実施例］
図１７ないし図２０には、本発明の第４実施例が示されている。この実施例は、第２実施例におけるアーム５２に代えて、シリンダ装置６０を採用して移動抵抗付与手段を構成したところに特徴を有する。すなわち、シリンダ装置６０は、連結アーム５０の中間に回転可能に支持されたシリンダ６１と、このシリンダ６１に進退可能に設けられたロッド６２とにより構成されている。本実施例では、シリンダ装置６０はロッド６２がシリンダ６１に対して伸長、つまり前進するときにスムースな動作を許容する一方、後退するときに移動抵抗が付与されるように構成されている。従って、図１７ないし図１９に示されるように、天板１５を開放方向に移動させるときは、当該天板１５がスムースに開放できる一方、天板１５を閉塞させるときには、ゆっくりと移動させることとなる。また、天板１５を収納部１４に収納するときはロッド６２が後退する動作となるため、天板１５をゆっくり収納できる一方、上方に引き上げるときは、抵抗が付与されずにスムースに引き上げることができる。
【００３５】
従って、このような実施例によっても前記実施例と同様の作用、効果を得ることが可能となる。
【００３６】
［第５実施例］
図２１ないし図２４には、本発明の第５実施例が示されている。この実施例は、第４実施例の変形的態様であり、シリンダ６１を側板１１の内面に回転可能に支持することによって第４実施例で用いた連結アーム５０及び案内レール４６を省略した点に特徴を有するものである。
【００３７】
このような実施例によっても、第４実施例と同様の作用、効果を得ることができる他、部品点数と製造工数を削減することができるという効果を付加することができる。
【００３８】
［第６実施例］
図２５ないし図２８には、本発明の第６実施例が示されている。この実施例は、移動抵抗付与手段として、側板１１の内面側に略水平方向に位置するロッド状のガイドレール７０を設けるとともに、このガイドレール７０に沿って移動可能に設けられたスライダ７１と天板１５との間にアーム７２を設けたものである。スライダ７１は、図２５中左方向に移動するようにアーム７２が角度変位するときにガイドレール７０に対して移動抵抗を生じさせない一方、右方向に移動するようにアーム７２が角度変位するときにガイドレール７０に対して移動抵抗を付与するようになっている。従って、天板１５を開放するとき及び収納部１４から引き上げるときにスムースなる移動が許容される一方、天板１５を閉塞するとき及び収納部１４内に収納するときに、移動抵抗を付与して天板１５をゆっくり移動させることとなる。
【００３９】
［第７実施例］
図２９ないし図３２には、本発明の第７実施例が示されている。この実施例は、第６実施例におけるガイドレール７０を天板１５の裏面側に設ける一方、一端部がスライダ７１に連結されているアーム７２の他端を側板１１の内面に回転可能に支持したものであり、第６実施例における配置を逆転したところに特徴を有し、これにより、第６実施例と同様の作用、効果を得ることができるようにしたものである。
【００４０】
［第８実施例］
図３３及び図３６には、本発明の第８実施例が示されている。この実施例は、第６実施例におけるガイドレール７０を収納部１４内における側板１１の内面に配置変更したものである。この実施例では、スライダ７１がガイドレールに沿って上昇するようにアーム７２が角度変位するときに移動抵抗が付与されない一方、スライダ７１が下降するようにアーム７２が角度変位するときに移動抵抗が付与されるように構成されている。
【００４１】
従って、天板１５を開放するとき及び収納部１４から引き上げるときには、天板１５をスムースに移動させることができる一方、天板１５を閉塞するとき及び収納部１４内に収納するときにスライダ７１にスライド抵抗を付与して天板１５の移動をゆっくり行わせることができる。
【００４２】
このような実施例によっても、第６実施例と同様の効果を得ることができる他、ガイドレールが収納部１４内に配置されることで、側板１１の上部内面側をすっきりさせることが可能となる。
【００４３】
以上のように、本発明を実施するための最良の構成、方法等は、前記記載で開示されているが、本発明は、これに限定されるものではない。
すなわち、本発明は、主に特定の実施例に関して特に図示、説明されているが、本発明の技術的思想及び目的の範囲から逸脱することなく、以上説明した実施例に対し、形状、位置若しくは配置等に関し、必要に応じて当業者が様々な変更を加えることができるものである。例えば、移動抵抗付与手段におけるアームが角度変位するときの方向に関し、「時計方向」、「反時計方向」なる用語を用いて説明したが、このような用語は、図面との対応関係における説明概念であって、本発明に係る移動抵抗付与手段の作用を限定するものではない。
【００４４】
また、前記各実施例では、移動抵抗付与手段が天板１５の左右両側に一対配置されるものとしたが、天板１５の制動トルクと天板の重量とのバランスによっては一方にのみ配置する構成としてもよい。
【００４５】
更に、前記移動抵抗付与手段を構成する案内レール４６は、側板１１の内面側に凹溝１１Ａを設けてこれに収まるタイプとしたが、凹溝１１Ａを設けることなく側板１１の内面に固定してもよい。但し、前記実施例のような構成とすれば、作業台１２上の有効スペースを狭めることがない点で有利となる。また、レール４６は、直線状のレールを傾斜して配置したり、円弧状に曲がったレール等を採用することができ、更に、必要な抵抗に応じて部分的に変形させることもできる。
【００４６】
更に、前記実施例では、本発明が机１０に適用された場合を示したが、例えば、収納ボックス等、その他の家具に適用することも可能である。
【００４７】
また、前記アーム等を隠蔽するカバーも必要に応じて設ける構成も採用することができる。
【００４８】
【発明の効果】
以上説明したように、本発明によれば、天板と家具本体との間に移動抵抗付与手段を設け、当該移動抵抗付与手段が、天板を開放位置から閉塞位置に移動させるときの速度を遅延させる抵抗を付与し、また、収納部に天板を収納する時の移動抵抗を付与する構成とされているため、天板を開くときと、収納部から引き出すときの移動をスムースに行える一方で、天板を閉塞位置に戻すときと、収納部に収納する時の移動をゆっくり行えるようになり、危険を及ぼすような衝撃を未然に回避することが可能となる。
【００４９】
また、移動抵抗付与手段が家具本体と前記天板との間に位置するアームの角度変位によって前記抵抗を付与するようにした構成では、天板の回転制御と収納部に対する出し入れ制御をアームによって行うことができ、制御機構の簡略化を図ることが可能となる。
【００５０】
更に、移動抵抗付与手段が、天板とアームとの相対角度変位により移動抵抗を付与するロータリーダンパ及びアームを備えて構成されているから、汎用部品を用いて天板の移動抵抗を必要な方向についてのみ作用させることが可能となり、使い勝手に優れた開閉天板付き家具を提供することができる。
【００５１】
また、ロータリーダンパが一方向クラッチ機能を備えて構成されていることで、従来構造に比べて少ない部品点数で操作性の向上を図ることができる。
【００５２】
更に、アームの先端側に設けられたローラを受容するレールが家具本体側に設けられているため、遅延動作を必要としない方向に天板を移動させるときのアームの回転移動を滑らかにすることができ、天板を移動させる操作をスムースに行うことができる。
【００５３】
また、移動抵抗付与手段としてシリンダ装置を採用し、当該シリンダ装置のロッドの伸長によって前記抵抗が付与されるようにした場合には、構造の簡易化を更に図ることが可能となる。
【００５４】
また、移動抵抗付与手段を天板の左右両側に対称配置した構成によれば、全体としてのバランスを良好に維持して天板の移動を行うことができ、天板の左右方向長さが長いタイプであっても安定した移動操作を行うことができる。
【図面の簡単な説明】
【図１】本発明に係る開閉天板付き家具が机に適用された実施例を示す全体斜視図。
【図２】天板を収納した状態を示す机の概略斜視図。
【図３】前記天板を開放位置とした状態を示す机の概略斜視図。
【図４】図１のＡ−Ａ線矢視拡大断面図。
【図５】前記机の平面図。
【図６】前記机の要部分解斜視図。
【図７】（Ａ）は天板が閉塞位置にある状態を示す作用説明図、（Ｂ）は天板が開放位置にある状態を示す作用説明図。
【図８】天板が収納部に収納された状態を示す作用説明図。
【図９】第２実施例における天板が閉塞位置にある状態を示す作用説明図
【図１０】第２実施例における天板が開放される途中の状態を示す作用説明図。
【図１１】第２実施例における天板が開放された状態を示す作用説明図。
【図１２】第２実施例における天板が収納された状態を示す作用説明図。
【図１３】第３実施例における天板が閉塞位置にある状態を示す作用説明図
【図１４】第３実施例における天板が開放される途中の状態を示す作用説明図。
【図１５】第３実施例における天板が開放された状態を示す作用説明図。
【図１６】第３実施例における天板が収納された状態を示す作用説明図。
【図１７】第４実施例における天板が閉塞位置にある状態を示す作用説明図
【図１８】第４実施例における天板が開放される途中の状態を示す作用説明図。
【図１９】第４実施例における天板が開放された状態を示す作用説明図。
【図２０】第４実施例における天板が収納された状態を示す作用説明図。
【図２１】第５実施例における天板が閉塞位置にある状態を示す作用説明図
【図２２】第５実施例における天板が開放される途中の状態を示す作用説明図。
【図２３】第５実施例における天板が開放された状態を示す作用説明図。
【図２４】第５実施例における天板が収納された状態を示す作用説明図。
【図２５】第６実施例における天板が閉塞位置にある状態を示す作用説明図
【図２６】第６実施例における天板が開放される途中の状態を示す作用説明図。
【図２７】第６実施例における天板が開放された状態を示す作用説明図。
【図２８】第６実施例における天板が収納された状態を示す作用説明図。
【図２９】第７実施例における天板が閉塞位置にある状態を示す作用説明図
【図３０】第７実施例における天板が開放される途中の状態を示す作用説明図。
【図３１】第７実施例における天板が開放された状態を示す作用説明図。
【図３２】第７実施例における天板が収納された状態を示す作用説明図。
【図３３】第８実施例における天板が閉塞位置にある状態を示す作用説明図
【図３４】第８実施例における天板が開放される途中の状態を示す作用説明図。
【図３５】第８実施例における天板が開放された状態を示す作用説明図。
【図３６】第８実施例における天板が収納された状態を示す作用説明図。
【符号の説明】
１０　机
１２　作業台
１３　家具本体
１４　収納部
１５　天板
３１　ガイド機構
４０　移動抵抗付与手段
４２　ダンパ
４４　アーム
４５　ローラ
４６　案内レール
５２　アーム
５３　ダンパ
６０　シリンダ装置
６１　シリンダ
６２　ロッド
７０　ガイドレール
７１　スライダ
７２　アーム
【図１】
2004105249.tif 000003
【図２】
2004105249.tif 000004
【図３】
2004105249.tif 000005
【図４】
2004105249.tif 000006
【図５】
2004105249.tif 000007
【図６】
2004105249.tif 000008
【図７】
2004105249.tif 000009
【図８】
2004105249.tif 000010
【図９】
2004105249.tif 000011
【図１０】
2004105249.tif 000012
【図１１】
2004105249.tif 000013
【図１２】
2004105249.tif 000014
【図１３】
2004105249.tif 000015
【図１４】
2004105249.tif 000016
【図１５】
2004105249.tif 000017
【図１６】
2004105249.tif 000018
【図１７】
2004105249.tif 000019
【図１８】
2004105249.tif 000020
【図１９】
2004105249.tif 000021
【図２０】
2004105249.tif 000022
【図２１】
2004105249.tif 000023
【図２２】
2004105249.tif 000024
【図２３】
2004105249.tif 000025
【図２４】
2004105249.tif 000026
【図２５】
2004105249.tif 000027
【図２６】
2004105249.tif 000028
【図２７】
2004105249.tif 000029
【図２８】
2004105249.tif 000030
【図２９】
2004105249.tif 000031
【図３０】
2004105249.tif 000032
【図３１】
2004105249.tif 000033
【図３２】
2004105249.tif 000034
【図３３】
2004105249.tif 000035
【図３４】
2004105249.tif 000036
【図３５】
2004105249.tif 000037
【図３６】
2004105249.tif 000038